(57)【要約】【課題】異なる動画映像規格のデータを連続再生した場合でも、固定の出力映像規格で連続して表示させることを、フレームメモリなしで可能にする。【解決手段】２つの異なる動画映像データを同期化する再生装置であって、２つの同期信号発生部を有し、２つの同期信号発生部を独立に制御する制御手段と、１つをマスター同期信号発生部として制御する制御手段と、上記２つの同期信号発生部が生成した同期信号に従う２つの動画映像データのフレームのずれを計測する手段と、一方の同期信号発生部を調整することにより、上記計測手段により計測されたフレームずれを０にする。【選択図】図１
2016009963.tif 000002
【特許請求の範囲】
【請求項１】
２つの異なる動画映像データを同期化する再生装置であって、
２つの同期信号発生部と、
２つの同期信号発生部を独立に制御する制御手段と、
１つをマスター同期信号発生部として制御する制御手段と、
上記２つの同期信号発生部が生成した同期信号に従う２つの動画映像データのフレームのずれを計測する手段と、
一方の同期信号発生部を調整することにより、上記計測手段により計測されたフレームずれを０にすることを特徴とする再生装置。
【請求項２】
動画映像データを異なる動画映像データの規格に変換する手段と、
１つの動画映像データを遅延させる遅延手段と、
２つの動画映像データを切り替える手段とを有し、
入力映像データが出力の映像規格と一致する場合は、入力データを遅延させた映像データを選択し、入力映像データが出力の映像規格と一致しない場合は、出力の映像規格に変換したデータを選択し、動画映像データが変換された場合の遅延と、変換せずに遅延させた場合との遅延量を一致させ、どちらか一方の動画映像データのフレーム先頭で映像を切り替えることによって、出力映像データに不連続な切り替えが発生させなくすることを特徴とする請求項１に記載の再生装置。
【発明の詳細な説明】
【技術分野】
【０００１】
本発明は、再生装置に関する。
【背景技術】
【０００２】
近年、コンパクトフラッシュ（登録商標）、ＳＤカード、ハードディスクやＳＳＤの低価格化と大容量化に伴い、動画像データの記録媒体として、従来のテープから上記の記録媒体に置き換わってきている。動画像データを記録する上で、上記記録媒体の利点の１つに、テープと比較して動画像データへのランダムアクセスが容易であることが挙げられる。テープを記録媒体とする場合、記録されている所望の動画像データを再生するには、早送りや巻き戻しによる探索後に再生する必要があった。一方、コンパクトフラッシュ等の記録媒体では、複数の動画像データがファイルシステム上で一元管理されており、所望の動画像データのアドレスがファイルシステム上で算出され、そのアドレスに従って動画像データを記録媒体から読み出し、再生するシステムとなっている。その為、上記コンパクトフラッシュ等の記録媒体を使った再生装置では、録画されている動画像データの一覧（サムネール）を表示させたり、所望の動画像データを瞬時に再生開始させたりすることが可能になる。
【０００３】
従来、動画像の撮影は主にビデオカメラで行なわれていた。ビデオカメラは、テレビを主な表示装置としていることもあり、記録される動画像の画角や規格としては、放送で用いられている１０８０ＩやＮＴＳＣ／ＰＡＬが利用されていた。最近になって、デジタルカメラでの動画像撮影も一般的になってきている。デジタルカメラでは、ＰＣでの視聴に親和性の高い１０８０Ｐ、７２０Ｐ、ＶＧＡやＱＶＧＡ等も採用されている。
【０００４】
上記の状況を鑑みるに、ランダムアクセスが容易な1つの記録媒体に、１０８０Ｐ、１０８０Ｉ、７２０Ｐ、ＮＴＳＣ、ＰＡＬ、ＶＧＡ、ＱＶＧＡ等の様々な画角や規格の映像が記録され、ランダムアクセスが容易なことから、画角や規格の異なる映像を連続して再生できるようになってきている。
【０００５】
一方、表示装置としのテレビでは、映像信号の規格が変化した場合、例えば、１０８０Ｉから７２０Ｐに変化した場合、まず始めに変化した規格である７２０Ｐを、映像データを解析することにより認識し、その上で表示を切り替える為、再生装置が１０８０Ｐから７２０Ｐへ連続して再生した場合、テレビ側では、映像規格の切り替わり目である７２０Ｐの先頭映像が欠落してしまう。
【０００６】
動画映像データの再生側では、ランダムアクセスが容易な１つの記録媒体に複数の画角や規格の映像が録画されており、混在した画角や映像規格のデータを連続して再生できるようになっているが、表示装置であるテレビ側では、映像規格に対応した表示に切り替える時間が必要な為、再生装置側が連続して再生した場合、切り替わり目の映像が欠落するという問題が発生する。
【０００７】
上記問題を解決する為、出力する映像規格を1つに定め、混在した映像データをフレームメモリを使用し出力映像規格に変換する方法が提案されている（特許文献１参照）。例えば、１０８０Ｉと７２０Ｐの映像が混在した場合、出力映像規格を１０８０Ｉに定め、７２０Ｐの映像は、フレームメモリを用いて１０８０Ｉの規格に変換して出力される。
【０００８】
既存技術の構成の一例を、図４を用いて説明する。図７は、既存技術の再生装置４００の構成を示す図である。図７において、４０１は、ユーザーとのインターフェイス部である操作部である。ＣＰＵ４０２は、操作部４０１からの指示に従い、各部に動作指示を与える。４０３は、同期信号発生部であり、伸張部４０４への動画映像データの同期信号を発生させる。伸張部４０４は、ＣＰＵ４０２から指示を受けた再生映像を記録媒体４０５から読み出し、映像をデコードして、同期信号発生部４０３の同期信号に従い、動画映像データを送出する。４０６は、フレームメモリへの書き込み制御部であり、ＣＰＵ４０２から指示されたフレームメモリのアドレスに動画映像データを書き込む。
【０００９】
４０７は、フレームメモリである。４０８は、同期信号発生部であり、システム全体のマスター信号発生部でもある。４０９は、フレームメモリからの読み出し制御部であり、同期信号発生部４０８の同期信号に従って、ＣＰＵ４０２から指示されたフレームメモリのアドレスから動画像データを読み出す。ここで、同期信号発生部４０３と同期信号発生部４０８の同期信号タイミングの違いを吸収する。４１０は、解像度変換部であり、フレームメモリ４０７から読み出した動画映像データを出力映像規格の画角に解像度変換すると共に、出力映像規格に合わせる。４１１は、映像の出力ポートである。４１２は、表示部である。
【先行技術文献】
【特許文献】
【００１０】
【特許文献１】特開２００２−１１２２５９号公報
【発明の概要】
【発明が解決しようとする課題】
【００１１】
特許文献１に開示された従来技術では、フレームメモリが、再生映像データの同期信号と出力映像データの同期信号の違いを吸収する為に使用されている。しかしながら、例えば、１０８０Ｉで６０フィールド/秒、ＹＣＣ４２２形式、データ幅８ビットとした場合のフレームメモリへの読み書きに擁する転送レートは、凡そ２．０Ｇｂｐｓであり、ＮＴＳＣ時の６倍の転送レートが要求される為、高い転送レートが可能な高価なフレームメモリが必要となる。
【００１２】
そこで、本発明の目的は、再生映像の同期信号と出力用同期信号の２つの異なる同期信号の違いを吸収する為に使用されているフレームメモリを削減可能な再生装置を提供することである。
【課題を解決するための手段】
【００１３】
本発明の構成は、２つの異なる動画映像データを同期化する再生装置であって、２つの同期信号発生部と、２つの同期信号発生部を独立に制御する制御手段と、１つをマスター同期信号発生部として制御する制御手段と、上記２つの同期信号発生部が生成した同期信号に従う２つの動画映像データのフレームのずれを計測する手段と、一方の同期信号発生部を調整することにより、上記計測手段により計測されたフレームずれを０にすることを特徴とする。
【発明の効果】
【００１４】
本発明によれば、再生映像の同期信号と出力用同期信号の２つの異なる同期信号の違いを吸収する為に使用されているフレームメモリが削減可能になる。
【図面の簡単な説明】
【００１５】
【図１】再生装置の構成を示すブロック図である。
【図２】再生装置の構成を示すブロック図である。
【図３】再生装置の構成を示すブロック図である。
【図４】再生装置の構成を示すブロック図である。
【図５】実施形態の処理を示すフローチャートである。
【図６】実施形態の処理を示すフローチャートである。
【図７】既存技術の概略の構成ブロック図である。
【発明を実施するための形態】
【００１６】
以下に、本発明の好ましい実施の形態を、添付の図面に基づいて詳細に説明する。
【実施例】
【００１７】
図１は、本発明の実施形態としての再生装置１００の構成を示す図である。図１において、１０１は操作部である。ＣＰＵ１０２は、操作部１０１からの指示に従い、各部に動作指示を与える。１０３は同期信号発生部であり、伸張部１０４への動画映像データの同期信号を発生させる。伸張部１０４は、ＣＰＵ１０２から指示された再生映像データを記録媒体１０５から読み出し、映像を伸張して、同期信号発生部１０３で生成された同期信号に従い、動画映像データを送出する。１０６は、縮小部であり、伸張部１０４から送出されたデータを縮小する。
【００１８】
１０７は、フレームメモリへの書き込み制御部であり、ＣＰＵ１０２から指示されたフレームメモリのアドレスに映像データを書き込む。１０８は、フレームメモリである。１０９は同期信号発生部であり、システム全体のマスター信号発生部でもある。１１０は、フレームメモリからの読み出し制御部であり、同期信号発生部１０９で生成された同期信号に従い、ＣＰＵ１０２から指示されたフレームメモリのアドレスから動画映像データを読み出す。
【００１９】
１１１は、差分計測部であり、フレームメモリ１０８から読み出された映像と伸張部１０４から送出された映像のフレーム先頭のずれを測定し、ＣＰＵ１０２に差分値を教える。１１２は切り替え部であり、フレームメモリ１０８から読み出した動画映像データと伸張部１０４から送出された動画映像データとを切り替える。１１３は、解像度変換部であり、切り替え部１１２からの映像データを出力映像規格の画角と解像度変換すると共に、出力規格に合わせる。
【００２０】
１１４は、遅延ライン部であり、入力映像データを解像度変換部１１３での処理でかかる遅延と同じ遅延量に調整する。遅延調整される為、解像度変換部１１３と遅延ライン部１１４の出力は、映像フレームの先頭が同タイミングになる。１１５は、切り替え部であり、解像度変換部の動画映像データ出力と遅延ライン部の動画映像データ出力を切り替える。１１６は、動画映像データの出力ポートである。１１７は、表示部である。
【００２１】
次に、サムネール再生を出力規格とし、本再生を出力以外の規格と想定した時の、起動、サムネール再生、同期化、本再生、本再生後のサムネール再生に至るデータフローと動作フローを説明する。
【００２２】
図５（ａ）起動手順で、起動時の動作フローを説明する。２０００で操作部１０１からの指示に従い、起動が開始される。２００１で同期信号発生部１０９をマスター同期信号として起動させて、２００２で起動手順を終了する。
【００２３】
図２のサムネール再生データパスと図５（ｂ）のサムネール再生手順で、サムネール再生時のデータフローと動作フローを説明する。
【００２４】
２１００で起動終了後、２１０１で操作部１０１を通して、ユーザーからサムネール再生の指示をＣＰＵ１０２が受け取る。２１０２でＣＰＵ１０２は、同期信号発生部１０３を再生用の同期信号として起動させる。２１０３で、伸張部１０４は、ＣＰＵ１０２から指示された映像データを記録媒体１０５から読み出して、動画映像データをデコードし、同期信号発生部１０３の同期タイミングに従い、動画映像データを送出する。
【００２５】
２１０４で、縮小部１０６は、伸張部１０４から送出された映像データをサムネールに必要な画角まで縮小する。２１０５でＣＰＵ１０２の制御に従い、縮小部１０６で縮小された映像データを書き込み制御部１０７を通して、フレームメモリ１０８に書き込む。２１０６で、フレームメモリ１０８にサムネール映像を作成する。
【００２６】
２１０７で、読み出し部１１０は、ＣＰＵ１０２に指示されたフレームメモリ１０８のアドレスから、同期信号発生部１０９の同期信号に従い、動画映像データを読み出す。２１０８で、切り替え部１１２、遅延ライン部１１４、切り替え部１１５を通して、フレームメモリ１０８から読み出したサムネール映像データを出力ポート１１６から出力する。２１０９で、表示部１１７で表示する。２１１０で、サムネール再生中となる。
【００２７】
図３の同期化データパスと図６（ａ）同期化手順で、サムネール再生から本再生に移行する前の同期化処理について説明する。２２００でサムネール再生中に、２２０１で操作部１０１を通してＣＰＵ１０２が本再生の指示を受け取る。２２０２で、ＣＰＵ１０２は、伸張部１０４に再生する動画映像データを指示し、伸張部１０４は、記録媒体１０５から所望の動画映像データを読み出しデコードした上で、先頭フレームでポーズ再生状態になる。
【００２８】
２２０３で、同期信号発生部の同期タイミングに従い、読み出し部１１０がフレームメモリ１０８から読み出したサムネール映像と伸張部１０４から送出される動画映像データとのフレームずれを差分計測部１１１で測定する。２２０４で、差分計測部１１１でフレームずれが検出された場合、２２０５で、ＣＰＵ１０２は、フレームずれが０になるように同期信号発生部１０３を調整し、再度２２０３で、フレームずれの検出を行なう。２２０４でフレームずれが０になった場合、２２０６で同期化処理を終了する。
【００２９】
図４の本画像再生データパスと図６（ｂ）本画像再生手順で、本画像再生処理を説明する。２３００で同期化処理が終了後、２３０１でＣＰＵからの指示で、同期化信号発生部１０３の同期タイミングに従って、伸張部１０４は再生ポーズ状態を解除し通常の再生として、記録媒体１０５からデータを読み出しデコードして動画映像データを送出する。２３０２で、切り替え部１１２は、伸張部１０４で送出される動画像データの同期信号に従って、フレームの先頭で、フレームメモリ１０８からの読み出し映像であるサムネール映像から伸張部１０４から送出されている動画映像データに切り替える。
【００３０】
２３０３で、解像度変換部１１３で、伸張部１０４から送出されている動画映像データを出力映像の画角に解像度変換すると共に、出力規格に変換し送出する。２３０４で、切り替え部１１５は、解像度変換部１１３からの動画映像データのフレーム先頭で、遅延ライン部１１４の出力から映像度変換部１１３の映像出力に切り替える。２３０５で、出力ポート１１６から出力する。２３０６で、表示部１１７で映像を表示する。２３０７で再生中となる。
【００３１】
図６（ｃ）の本画像再生終了後のサムネール再生手順で再びサムネール表示するまでの処理を説明する。２４００で、本画像の再生終了、２４０１で、切り替え部１１２において映像フレームの先頭のタイミングで、伸張部１０４からの映像データからフレームメモリ１０８から読み出した映像データへ切り替える。
【００３２】
２４０２で、遅延ライン部１１４でサムネール映像を遅延させる。２４０３で、切り替え部１１５は、フレームの先頭で、映像度変換部１１３出力から遅延ライン部１１４の出力へ映像出力に切り替える。２４０４で、出力ポート１１６から出力する。２４０５で、表示部１１７で映像を表示する。２４０６でサムネール再生中となる。本再生に戻る場合は、同期化処理、本再生処理の順に処理を進める。
【符号の説明】
【００３３】
１００  再生装置、１０１  操作部、１０２  ＣＰＵ、１０３  同期信号発生部、
１０４  伸張部、１０５  記録媒体、１０６  縮小部、１０７  書き込み制御部、
１０８  フレームメモリ、１０９  同期信号発生部、１１０  読み出し制御部
【図１】
2016009963.tif 000003
【図２】
2016009963.tif 000004
【図３】
2016009963.tif 000005
【図４】
2016009963.tif 000006
【図５】
2016009963.tif 000007
【図６】
2016009963.tif 000008
【図７】
2016009963.tif 000009